(57)【特許請求の範囲】
【請求項１】
開口部がシール部材によって封止されたカップ本体に、前記シール部材を破断して開封する切刃部材を備えた蓋体が被着されてなる蓋付きカップ容器であって、
前記切刃部材は、前記蓋体における天壁部の上面視において一方向に沿って延在し、その中間部分が前記天壁部に第１ヒンジ部を介して連結されたレバー部と、
前記一方向に沿って延在し、その基端部が第２ヒンジ部を介して前記蓋体に連結され、かつ先端部にシール部材側に向けて突出する切刃が形成された切刃部と、を備え、
前記切刃は、レバー部の前記一方向における一端側部分に前記シール部材側から対向し、
前記レバー部及び前記切刃部のうち、何れか一方には、前記切刃で破断された前記シール部材の開口部分に連通する流出孔が形成され、
前記蓋体における前記天壁部は、前記レバー部の前記一方向における他端側部分を上下方向の両側から挟み込んで固定する第１支持部及び第２支持部を備えていることを特徴とする蓋付きカップ容器。
【請求項２】
開口部がシール部材によって封止されたカップ本体に、前記シール部材を破断して開封する切刃部材を備えた蓋体が被着されてなる蓋付きカップ容器であって、
前記切刃部材は、前記蓋体における天壁部の上面視において一方向に沿って延在し、その中間部分が前記天壁部に第１ヒンジ部を介して連結されたレバー部と、
前記一方向に沿って延在し、前記一方向における一端側部分が第２ヒンジ部を介して前記蓋体に連結され、かつ前記一方向における他端側部分にシール部材側に向けて突出する切刃が形成された切刃部と、を備え、
前記切刃は、レバー部の前記一方向における一端側部分に前記シール部材側から対向し、
前記切刃部には、前記切刃で破断された前記シール部材の開口部分に連通する流出孔が形成されていることを特徴とする蓋付きカップ容器。
【請求項３】
請求項１または請求項２記載の蓋付きカップ容器であって、
前記蓋体には、切刃部を第２ヒンジ部回りに回動させて破断姿勢にすることにより切刃でシール部材を破断したときに、この切刃部を係止して破断姿勢に保持する係止部が設けられていることを特徴とする蓋付きカップ容器。
【請求項４】
請求項１から請求項３の何れか１項に記載の蓋付きカップ容器であって、
前記カップ本体の開口周縁部にはその径方向の外側に向けて突出するフランジ部が全周にわたって設けられ、このフランジ部の表面に前記シール部材が貼着されて前記開口部が封止され、
前記蓋体においてシール部材を介して前記フランジ部の表面に当接する当接部分には、その全周にわたって縦断面視Ｕ字状のシール部が形成されていることを特徴とする蓋付きカップ容器。
【発明の詳細な説明】
【技術分野】
【０００１】
本発明は蓋付きカップ容器に関するものである。
【背景技術】
【０００２】
この種の蓋付きカップ容器として、例えば下記特許文献１に示されるような、開口部がシール部材によって封止されたカップ本体に、シール部材を破断して開封する切刃部材を備えた蓋体が被着されてなる構成が知られている。切刃部材は、シール部材を上方から覆う蓋体の天壁部に設けられており、その先端部にシール部材側に向けて突出する切刃が形成されるとともに、基端部が天壁部にヒンジ部を介して連結されている。以上より、切刃部材を上方から指等で押圧すると、切刃がシール部材に向けて前進移動するように切刃部材がヒンジ部回りに回動することにより、切刃がシール部材を破断して、蓋付きカップ容器が開封されるようになっている。
【特許文献１】特許２００５−２２７５７号公報
【発明の開示】
【発明が解決しようとする課題】
【０００３】
しかしながら、前記従来の蓋付きカップ容器では、切刃部材を指で押し込んだときに、指がカップ本体内に入り込んで内容物に触れることがあり、内容物が例えば飲料等の食品の場合には不衛生になるおそれがあった。
また近年では、蓋付きカップ容器を開封させるのに要する力を低減することで開封性を向上させることに対する要望も高まっている。
【０００４】
本発明は、このような事情を考慮してなされたもので、衛生的でしかも良好な開栓性を有する蓋付きカップ容器を提供することを目的とする。
【課題を解決するための手段】
【０００５】
上記課題を解決して、このような目的を達成するために、本発明の蓋付きカップ容器は、開口部がシール部材によって封止されたカップ本体に、前記シール部材を破断して開封する切刃部材を備えた蓋体が被着されてなる蓋付きカップ容器であって、前記切刃部材は、前記蓋体における天壁部の上面視において一方向に沿って延在し、その中間部分が前記天壁部に第１ヒンジ部を介して連結されたレバー部と、前記一方向に沿って延在し、その基端部が第２ヒンジ部を介して前記蓋体に連結され、かつ先端部にシール部材側に向けて突出する切刃が形成された切刃部と、を備え、前記切刃は、レバー部の前記一方向における一端側部分に前記シール部材側から対向し、前記レバー部及び前記切刃部のうち、何れか一方には、前記切刃で破断された前記シール部材の開口部分に連通する流出孔が形成され、前記蓋体における前記天壁部は、前記レバー部の前記一方向における他端側部分を上下方向の両側から挟み込んで固定する第１支持部及び第２支持部を備えていることを特徴とする。
また、本発明の蓋付きカップ容器は、開口部がシール部材によって封止されたカップ本体に、前記シール部材を破断して開封する切刃部材を備えた蓋体が被着されてなる蓋付きカップ容器であって、前記切刃部材は、前記蓋体における天壁部の上面視において一方向に沿って延在し、その中間部分が前記天壁部に第１ヒンジ部を介して連結されたレバー部と、前記一方向に沿って延在し、前記一方向における一端側部分が第２ヒンジ部を介して前記蓋体に連結され、かつ前記一方向における他端側部分にシール部材側に向けて突出する切刃が形成された切刃部と、を備え、前記切刃は、レバー部の前記一方向における一端側部分に前記シール部材側から対向し、前記切刃部には、前記切刃で破断された前記シール部材の開口部分に連通する流出孔が形成されていることを特徴とする。
この発明では、切刃部材がレバー部および切刃部を備え、切刃がレバー部の前記一端側部分に前記シール部材側から対向しているので、レバー部の前記一方向における他端部を引き上げてこのレバー部を第１ヒンジ部回りに回動させると、レバー部の前記一端側部分が切刃に向けて前進移動してこの切刃をシール部材側に向けて押し下げ、これにより切刃でシール部材を破断させることが可能になる。したがって、指で直接切刃に触れなくても蓋付きカップ容器を開封することが可能になり、この開封時に指がカップ本体内に入り込む等して内容物に接するのを防ぐことができる。
また、この開封時にレバー部を前述のように回動させることから梃子作用が奏されることになり、レバー部に加える力を、指で直接切刃を押し込む場合と比べて小さくしても、切刃でシール部材を確実に破断することが可能になり、蓋付きカップ容器の開封性を向上させることができる。
【０００６】
ここで、前記蓋体には、切刃部を第２ヒンジ部回りに回動させ破断姿勢にすることにより切刃でシール部材を破断したときに、この切刃部を係止して破断姿勢に保持する係止部が設けられてもよい。
この場合、切刃部を係止して破断姿勢に保持する係止部が設けられているので、開封後に、シール部材において切刃で破断した開口部分を通してカップ本体内から内容物を取り出すときに、この内容物から、前記破断姿勢にある切刃部に、この切刃部を前記開口部分に近づけるように押し戻す力が作用しても、この力に抗して切刃部を前記破断姿勢に保持することが可能になり、内容物を取り出す過程で切刃部が前記開口部分を塞ぐのを防ぐことができる。
【０００７】
また、前記カップ本体の開口周縁部には前記径方向の外側に向けて突出するフランジ部が全周にわたって設けられ、このフランジ部の表面に前記シール部材が貼着されて前記開口部が封止され、前記蓋体においてシール部材を介して前記フランジ部の表面に当接する当接部分には、その全周にわたって縦断面視Ｕ字状のシール部が形成されてもよい。
この場合、蓋体の前記当接部分にシール部が形成されているので、シール部材の前記開口部分を通してカップ本体内から内容物を取り出すときに、この内容物がシール部材上に溜まっても、この内容物が蓋体とカップ本体との間から漏出するのを抑制することができる。
【発明の効果】
【０００８】
この発明に係る蓋付きカップ容器によれば、衛生的でしかも良好な開栓性を具備させることができる。
【発明を実施するための最良の形態】
【０００９】
以下、図面を参照し、この発明の実施の形態について説明する。この実施形態に係る蓋付きカップ容器１０は、開口部１１ａがシール部材１２によって封止されたカップ本体１１に、シール部材１２を破断して開封する切刃部材２１を備えた蓋体２２が被着されている。
【００１０】
カップ本体１１は横断面視円形状の有底円筒状に形成されている。以下、横断面がなす円形状の中心を通る直線を軸線Ｏといい、また、この軸線Ｏ方向に沿って開口部１１ａ側を上側、底部側を下側といい、さらに、前記軸線Ｏを通りかつこの軸線Ｏに直交する方向を径方向という。
そして、カップ本体１１の胴部１５は、上側から下側に向かうに従い漸次縮径している。また、カップ本体１１の上端開口縁には、その径方向の外側に向けて突出するフランジ部１１ｂが全周にわたって設けられている。このフランジ部１１ｂの上面に前記シール部材１２が貼着されて前記開口部１１ａが封止されている。
【００１１】
蓋体２２は、内側にカップ本体１１のフランジ部１１ｂが嵌合される装着筒部２３と、装着筒部２３よりも小径に形成されかつ装着筒部２３よりも上方に配置された突出筒部２４と、装着筒部２３と突出筒部２４とを連結しかつシール部材１２を介してカップ本体１１のフランジ部１１ｂの上面に当接する円環板（当接部分）２０と、突出筒部２４の内側に配置された上面視円形状の天壁部２５と、を備えている。
【００１２】
なお、図示の例では、蓋体２２は前記軸線Ｏと同軸に配置されている。また、突出筒部２４は、内筒２４ａ、外筒２４ｂおよびこれらの両筒２４ａ、２４ｂの上端部同士を連結する円環状の連結板２４ｃを備えている。
さらに本実施形態では、円環板２０には、その全周にわたって縦断面視Ｕ字状のシール部２０ａが形成されている。図示の例では、シール部２０ａは、円環板２０の上面には環状溝を形成し、かつ下面には環状突部を形成するように縦断面視Ｕ字状に形成され、蓋体２２がカップ本体１１に装着された状態で、シール部２０ａは押し潰されてカップ本体１１のフランジ部１１ｂの上面にシール部材１２を介して密接するようになっている。
【００１３】
天壁部２５には、その上面視において一方向Ａに沿って延びる上面視長方形状の凹部２５ａが形成されている。この凹部２５ａは天壁部２５において前記一方向Ａの全長にわたって形成されている。また、凹部２５ａの底壁部２５ｈには前記一方向Ａに沿って延びる上面視長方形状の貫通孔２５ｉが形成されており、この貫通孔２５ｉにおいて、前記一方向Ａの一端部は天壁部２５の外周面に到達し、他端部は天壁部２５の外周面よりも前記径方向の内側に位置している。
【００１４】
また、この天壁部２５は、その上面視において前記一方向Ａの一端側のほぼ半分を占める一端側部分２５ｂと、前記一方向Ａの他端側のほぼ半分を占める他端側部分２５ｃと、に区画され、前記一端側部分２５ｂは下方に向けて窪んだ窪み部となっている。そして、前記凹部２５ａによって、前記一端側部分２５ｂおよび他端側部分２５ｂがそれぞれ、天壁部２５の上面視において前記一方向Ａに直交する方向に二等分割されている。なお、貫通孔２５ｉの前記一方向Ａにおける他端は、前記他端側部分２５ｃに位置している。
【００１５】
ここで、前述の凹部２５ａは、底壁部２５ｈと、天壁部２５の上面視において前記一方向Ａに直交する方向で互いに対向し、かつこの対向面が前記一方向Ａおよび上下方向の双方に沿って延びる一対の板体２５ｅと、により画成されている。そして、これらの板体２５ｅは、表裏面が上下方向を向く板状の連結片２５ｆを介して互いに連結されている。なお、連結片２５ｆは板体２５ｅにおいて前記一端側部分２５ｂに位置する部分に配置されている。
以上より、天壁部２５は、一端側部分２５ｂ、他端側部分２５ｃ、板体２５ｅおよび連結片２５ｆを備え、これらが一体に形成されて構成されている。
【００１６】
そして、本実施形態では、切刃部材２１は、前記一方向Ａに沿って延在し、その中間部分が蓋体２２の天壁部２５に第１ヒンジ部２６を介して連結されたレバー部２７と、前記一方向Ａに沿って延在し、その基端部が第２ヒンジ部２８を介して蓋体２２に連結され、かつ先端部に下側に向けて突出する切刃２９が形成された切刃部３０と、を備えている。
図示の例では、切刃部３０の全体がレバー部２７よりも下側（シール部材１２側）に配置されている。また、第１ヒンジ部２６は、連結片２５ｆの前記一方向Ａにおける他端部に設けられ、第２ヒンジ部２８は、連結片２５ｆの前記一方向Ａにおける一端部に設けられている。なお、第１ヒンジ部２６は、前記軸線Ｏよりも前記一方向Ａの一端側に離れている。
【００１７】
また、レバー部２７の中間部分における下面には連結壁２７ａが下方に向けて延設されており、この連結壁２７ａを介してレバー部２７と第１ヒンジ部２６とが連結されている。さらに、レバー部２７において前記中間部分よりも前記一方向Ａの一端側に位置する押下部２７ｂは、窪み部を構成する天壁部２５の一端側部分２５ｂ内に配置されている。
【００１８】
また、レバー部２７において前記中間部分よりも前記一方向Ａの他端側に位置する引き上げ片２７ｃは、押下部２７ｂよりも上方に位置し、凹部２５ａの前記一方向Ａにおける他端部から一端側に離れて位置している。さらに、レバー部２７の上面において前記一方向Ａに直交する方向の両端部には、押下部２７ｂの前記一方向Ａにおける一端部から引き上げ片２７ｃの前記一方向Ａにおける一端部に至るリブ２７ｄが突設されている。さらにまた、押下部２７ｂには、その前記一方向Ａにおける一端に開口しかつ他端側に向けて延びる切欠き部２７ｅが形成されている。
【００１９】
ここで、図示の例では、前記一対の板体２５ｅにおいて前記他端側部分２５ｃに位置する部分の上端部には、レバー部２７の引き上げ片２７ｃを下側から支持する第１支持部３２が互いに対向する方向に突設されている。また、前記一対の板体２５ｅにおいて前記他端側部分２５ｃに位置する部分の上端に、レバー部２７の引き上げ片２７ｃを上側から支持する第２支持部３３が互いに対向する方向に突設されている。図示の例では、第２支持部３３は、第１支持部３２の配設位置に対して上側でかつ前記一方向Ａの他端側に配設されている。
これらの第１支持部３２および第２支持部３３によってレバー部２７の引き上げ片２７ｃが上下方向から挟み込まれて固定できるようになっている。
【００２０】
切刃部３０は、第２ヒンジ部２８から前記一方向Ａに沿って一端側に向けて延在している。そして、この切刃部３０の前記一方向Ａにおける一端部に形成された切刃２９が、レバー部２７の押下部２７ｂに下側から対向している。
なお、図示の例では、切刃部３０は、前記一方向Ａに沿って第２ヒンジ部２８側（他端部側）から切刃２９側（一端部側）に向かうに従い漸次上方に向けて延在している。また、切刃２９は、カップ本体１１の開口部１１ａにおける外周縁の一部にその上方から対向している。
【００２１】
ここで、前記一対の板体２５ｅにおいて前記一端側部分２５ｂに位置する部分のうち、少なくとも連結片２５ｆが配設されている前記一方向Ａの他端側部分における下端部２５ｇは連結片２５ｆおよび凹部２５ａの底壁部２５ｈよりも下方に位置しており、後述のような破断姿勢にある切刃部３０の前記一方向Ａにおける他端部の両側部に、板体２５ｅの前記下端部２５ｇが対向するようになっている。そして、これらの板体２５ｅの前記下端部２５ｇには、破断姿勢にある切刃部３０を係止して保持する係止部３１が設けられている。
係止部３１は、各板体２５ｅが互いに対向する方向に突出する突部とされ、切刃２９でシール部材１２を破断する過程で、切刃部３０の前記他端部における両側部分が、係止部３１に当接して弾性変形させられつつこの係止部３１を乗り越えるようになっている。
【００２２】
次に、以上のように構成された蓋付きカップ容器１０を開封する方法について説明する。
まず、レバー部２７の引き上げ片２７ｃを引き上げて、このレバー部２７を第１ヒンジ部２６回りに回動させる。すると、レバー部２７の押下部２７ｂが切刃部３０の切刃２９に向けて前進移動し、この押下部２７ｂが、切刃２９を下方に向けて押し下げつつ切刃部３０を第２ヒンジ部２８回りに回動させて、この切刃２９によりシール部材１２を破断させることによって蓋付きカップ容器１０を開封する。
【００２３】
この過程において、切刃部３０の前記他端部における両側部分が、係止部３１に当接して弾性変形させられつつこの係止部３１を乗り越えることにより、切刃部３０の、レバー部２７による回動方向とは逆方向の回動が規制され、切刃部３０の破断姿勢が保持される。
その後、レバー部２７を逆向きに回動させて、その下側を第１支持部３２で支持させかつ上側を第２支持部３３で支持させた元の位置に戻すことで、窪み部を構成する天壁部２５の前記一端側部分２５ｂ内に、レバー部２７の押下部２７ｂを位置させる。そして、シール部材１２において切刃２９で破断された開口部分からレバー部２７の押下部２７ｂに形成された切欠き部２７ｅを通して、カップ本体１１内の内容物を流出させる。
【００２４】
なお、蓋体２２は、図３に示されるように、レバー部２７を、前述のようにシール部材１２を破断するときの姿勢とは逆に、引き上げ片２７ｃが下方に位置し押下部２７ｂが上方に位置するようなほぼ直立姿勢にした状態で成形される。
【００２５】
以上説明したように本実施形態に係る蓋付きカップ容器１０によれば、切刃部材２１がレバー部２７および切刃部３０を備え、切刃２９がレバー部２７の押下部２７ｂに下側から対向しているので、レバー部２７の引き上げ片２７ｃを引き上げてこのレバー部２７を第１ヒンジ部２６回りに回動させると、レバー部２７の押下部２７ｂが切刃２９に向けて前進移動してこの切刃２９を下側に向けて押し下げ、これにより切刃２９でシール部材１２を破断させることが可能になる。したがって、指で直接切刃２９に触れなくても蓋付きカップ容器１０を開封することが可能になり、この開封時に指がカップ本体１１内に入り込む等して内容物に接するのを防ぐことができる。
【００２６】
また、この開封時にレバー部２７を前述のように回動させることから梃子作用が奏されることになり、レバー部２７に加える力を、指で直接切刃を押し込む場合と比べて小さくしても、切刃２９でシール部材１２を確実に破断することが可能になり、蓋付きカップ容器１０の開封性を向上させることができる。
【００２７】
さらに、本実施形態では、切刃部３０を係止して破断姿勢に保持する係止部３１が設けられているので、開封後に、シール部材１２において切刃２９で破断した開口部分を通してカップ本体１１内から内容物を取り出すときに、この内容物から、前記破断姿勢にある切刃部３０に、この切刃部３０を前記開口部分に近づけるように押し戻す力が作用しても、この力に抗して切刃部３０を前記破断姿勢に保持することが可能になり、内容物を取り出す過程で切刃部３０が前記開口部分を塞ぐのを防ぐことができる。
【００２８】
また、蓋体２２の円環部２０にシール部２０ａが形成されているので、シール部材１２の前記開口部分を通してカップ本体１１内から内容物を取り出すときに、この内容物がシール部材１２上に溜まっても、この内容物が蓋体２２とカップ本体１１との間から漏出するのを抑制することができる。
【００２９】
さらに、本実施形態では、開封後に第１支持部３２および第２支持部３３によりレバー部２７の引き上げ片２７ｃを下側および上側の双方から支持させた状態で、シール部材１２の前記開口部分からレバー部２７の切欠き部２７ｅを通して、カップ本体１１内の内容物を流出させるので、この流出時に内容物からレバー部２７の押下部２７ｂに、この押下部２７ｂが前記開口部分から離間するようにレバー部２７を第１ヒンジ部２６回りに回動させる力が作用しても、レバー部２７が回動するのを防ぐことが可能になる。
したがって、内容物を前述のようにカップ本体１１内から流出させるときに、レバー部２７が第１ヒンジ部２６回りに回動してその姿勢が不安定になるのを防ぐことが可能になり、内容物の流出孔である前記切欠き部２７ｅの位置を安定させることができる。
また、開封後に、窪み部を構成する天壁部２５の一端側部分２５ｂ内に、内容物の流出孔である切欠き部２７ｅが形成された押下部２７ｂを位置させた状態で、カップ本体１１内の内容物を取り出すので、シール部材１２の前記開口部分から流出させた内容物の一部が天壁部２５上に残った場合においても、この内容物が天壁部２５上の広い範囲にわたって拡散するのを抑えて、前記一端側部分２５ｂ内に留め易くすることが可能になる。したがって、繰り返し内容物を取り出す場合の使い勝手を向上させることもできる。
【００３０】
次に、本発明の第２実施形態に係る蓋付きカップ容器４０について説明するが、前記実施形態と同一の部位には同一の符号を付してその説明は省略し、異なる点についてのみ説明する。
この実施形態に係る蓋付きカップ容器４０に備えられた蓋体４１の天壁部４２には、図４から図６に示されるように、前記一方向Ａの一端部側に位置する第１貫通孔４２ａと他端部側に位置する第２貫通孔４２ｂとが形成されている。第１貫通孔４２ａにおける前記一方向Ａの一端部は天壁部４２の外周面よりも前記径方向の内側に位置し、第２貫通孔４２ｂにおける前記一方向Ａの他端部も天壁部４２の外周面より前記径方向の内側に位置している。
【００３１】
切刃部材４３は、前記一方向Ａに沿って延在し、その中間部分が天壁部４２に第１ヒンジ部４４を介して連結されたレバー部４５と、前記一方向Ａに沿って延在し、その基端部が第２ヒンジ部４６を介して蓋体４１に連結され、かつ先端部に下側に向けて突出する切刃４７が形成された切刃部４８と、を備えている。
図示の例では、第１ヒンジ部４４は、天壁部４２において第１貫通孔４２ａと第２貫通孔４２ｂとの間に位置する中央部分４２ｃに設けられ、第２ヒンジ部４６は、第１貫通孔４２ａの内周面において前記一方向Ａの一端に位置する部分に設けられている。なお、第１ヒンジ部４４は、前記軸線Ｏよりも前記一方向Ａの他端側に離れている。
【００３２】
レバー部４５において、前記一方向Ａの一端部は他の部分よりも上方に位置した押下部４５ｂとなっている。また、レバー部４５において前記中間部分よりも前記一方向Ａの他端側に位置する引き上げ片４５ｃは、第２貫通孔４２ｂにおける前記一方向Ａの他端部よりも一端側に離れている。
切刃部４８は、前記切刃４７と、第２ヒンジ部４６から上方に向けて延びる立ち上がり壁４８ａと、この立ち上がり壁４８ａから前記一方向Ａの他端側に向かうに従い漸次上方に向けて延在しその先端に前記切刃４７が連結された連結壁４８ｂと、を備えている。また、切刃４７において前記一方向Ａの他端側を向く表面には被押下部４７ａが突設されている。図示の例では、この被押下部４７ａは、上方から下方に向かうに従い漸次、前記一方向Ａの他端側に向けて突出高さが低くなっている。また、本実施形態では、切刃部４８において、立ち上がり壁４８ａから連結壁４８ｂにわたって飲み口孔４８ｃが形成されている。
そして、この被押下部４７ａの上端縁から連結壁４８ｂの先端部にわたって、レバー部４５の押下部４５ｂが配置されている。なお、押下部４５ｂの先端部４５ｄは、連結壁４８ｂの上面形状に沿うように前記一方向Ａの他端側から一端側に向かうに従い漸次上方に向けて延在している。
【００３３】
次に、以上のように構成された蓋付きカップ容器４０を開封する方法について説明する。
まず、レバー部４５の引き上げ片４５ｃを引き上げて、このレバー部４５を第１ヒンジ部４４回りに回動させる。すると、レバー部４５の押下部４５ｂが切刃部４８の切刃４７に向けて前進移動し、この押下部４５ｂが、被押下部４７ａおよび連結壁４８ｂを介して切刃４７を下方に向けて押し下げつつ切刃部４８を第２ヒンジ部４６回りに回動させて、この切刃４７によりシール部材１２を破断させることによって蓋付きカップ容器４０を開封する。
【００３４】
そして、シール部材１２において切刃４７で破断された部分から切刃部４８に形成された飲み口孔４８ｃを通して、カップ本体１１内の内容物を流出させる。
以上の構成においても図１から図３で示した実施形態と同様の作用効果が奏功される。
また、本実施形態の蓋体４１においても、図６に示されるように、レバー部４５を、前述のようにシール部材１２を破断するときの姿勢とは逆に、引き上げ片４５ｃが下方に位置し押下部４５ｂが上方に位置するようなほぼ直立姿勢にした状態で成形される。
【００３５】
なお、本発明の技術的範囲は前記実施の形態に限定されるものではなく、本発明の趣旨を逸脱しない範囲において種々の変更を加えることが可能である。
例えば、図１から図３で示した蓋付きカップ容器１０では、蓋体２２の円環板２０に、その全周にわたって縦断面視Ｕ字状のシール部２０ａを形成したが、これに代えて例えば、円環板２０の上面に環状溝が形成されておらず円環板２０の下面に形成された環状突部のみからなるシール部を採用してもよい。また、円環板２０の下面に形成する環状突部は、縦断面視中実の凸曲面状に形成してもよいし、あるいは板状に形成してもよく、その形態は適宜変更してもよい。
【００３６】
また、図４から図６で示した蓋付きカップ容器４０にも、図１から図３で示した蓋付きカップ容器１０と同様に、破断姿勢にある切刃部４８を係止して保持する係止部や支持部３２を設けてもよい。
さらに、図１から図３で示した蓋付きカップ容器１０において、第１支持部３２および第２支持部３３の双方を設けたが、一方のみ設けてもよいし、両者ともに設けなくてもよい。
【産業上の利用可能性】
【００３７】
衛生的でしかも良好な開栓性を具備させることができる。
【図面の簡単な説明】
【００３８】
【図１】本発明に係る一実施形態として示した蓋付きカップ容器の要部縦断面図である。
【図２】図１に示す蓋付きカップ容器の上面図である。
【図３】図１に示す蓋付きカップ容器の蓋体を成形した時の状態を示す縦断面図である。
【図４】本発明に係る他の実施形態として示した蓋付きカップ容器の要部縦断面図である。
【図５】図４に示す蓋付きカップ容器の上面図である。
【図６】図４に示す蓋付きカップ容器の蓋体を成形した時の状態を示す縦断面図である。
【符号の説明】
【００３９】
１０、４０  蓋付きカップ容器
１１  カップ本体
１１ａ  開口部
１１ｂ  フランジ部
１２  シール部材
２０  円環板（当接部分）
２０ａ  シール部
２１、４３  切刃部材
２２、４１  蓋体
２５、４２  天壁部
２６、４４  第１ヒンジ部
２７、４５  レバー部
２７ｂ、４５ｂ  押下部（レバー部の一端側部分）
２８、４６  第２ヒンジ部
２９、４７  切刃
３０、４８  切刃部
３１  係止部
Ａ  一方向
【図１】
0005103165.tif 000002
【図２】
0005103165.tif 000003
【図３】
0005103165.tif 000004
【図４】
0005103165.tif 000005
【図５】
0005103165.tif 000006
【図６】
0005103165.tif 000007